(57)【要約】【課題】製品の見栄えを確保しつつ、カバーの膨れや浮きを抑える。【解決手段】窓部材４０は、透光部４１と、フランジ部４２と、係合部４３とを有する。透光部４１の基端部は、カバー側開口孔３１に嵌め込まれている。フランジ部４２は、両面テープ３５によってカバー３０の内側面に接着されている。係合部４３は、透光部４１の先端部に設けられており、筐体側開口孔２１に嵌め込まれることで、筐体２０とカバー３０とが係合される。【選択図】図２
2015216217.tif 000002
【特許請求の範囲】
【請求項１】
内部に発光部が収容され且つ該発光部を臨む位置に筐体側開口孔が形成された筐体と、該筐体の外側面を覆うとともに該筐体側開口孔に対応して該発光部を臨む位置にカバー側開口孔が形成されたカバーとを備え、透光性を有する窓部材によって該カバー側開口孔が塞がれた電子機器であって、
前記窓部材は、
前記カバーの厚み方向に延びて基端部が前記カバー側開口孔に嵌め込まれた透光部と、
前記透光部から径方向に張り出して接着部材によって前記カバーの内側面における前記カバー側開口孔の周縁部に接着されたフランジ部と、
前記透光部の先端部に設けられ且つ前記筐体側開口孔に嵌め込まれることで前記筐体に係合された係合部とを有することを特徴とする電子機器。
【請求項２】
請求項１において、
前記係合部は、防水性を有する弾性変形可能なパッキン材で構成されていることを特徴とする電子機器。
【請求項３】
請求項２において、
前記係合部には、前記透光部の先端部に一体形成された補強リブが埋設されていることを特徴とする電子機器。
【請求項４】
請求項１において、
前記係合部は、前記透光部の先端部に一体形成された弾性変形可能な爪部で構成され、
前記係合部は、前記筐体の内側面における前記筐体側開口孔の周縁部に係合しており、
前記フランジ部と前記筐体の外側面との間には、防水性を有するパッキン材が挟み込まれていることを特徴とする電子機器。
【請求項５】
請求項１から４のうち何れか１つにおいて、
前記カバー側開口孔の内径は、前記筐体側開口孔の内径よりも小さいことを特徴とする電子機器。
【発明の詳細な説明】
【技術分野】
【０００１】
本発明は、電子機器に関するものである。
【背景技術】
【０００２】
従来より、携帯電話等の電子機器には、カメラ撮影時に被写体を照らすフラッシュライトや、メールの受信時又は通話の着信時に点灯するＬＥＤ等のように、外部に光を照射するための発光部が設けられている。発光部は、光の拡散や防水性確保のために、透光性を有する部材によって覆われている。
【０００３】
特許文献１には、内部に発光部が収容されたケースと、ケースの開口部を塞ぐカバーとを備えた電子機器が記載されている。カバーには、発光部からの光を透過する貫通孔が形成されている。貫通孔は、カバーの外側面に接着された装飾用のパネルと、カバーの内側面に接着された防水シートとによって塞がれている。
【先行技術文献】
【特許文献】
【０００４】
【特許文献１】特許第５０５７５９７号公報
【発明の概要】
【発明が解決しようとする課題】
【０００５】
ところで、近年の電子機器では、表示画面の大型化及び製品の薄型化が要望されており、カバーについても大型化及び薄型化を行う必要がある。しかしながら、カバーを大型化及び薄型化すると、ケースにカバーを取り付けたときに、カバーの膨れや浮きが生じてしまうという問題がある。
【０００６】
ここで、カバーの内側面に爪部を設けてケースに係合させたり、カバーとケースとをビスで締結させることで、ケースの膨れや浮きを抑えることも考えられる。しかしながら、樹脂成形によってカバーの内側面に爪部を設ける場合には、カバーの外側面にヒケが生じて見栄えが悪くなるおそれがある。また、ビスで締結させる場合には、カバーの外側面にビスが露出することとなり、見栄えが悪くなるという問題がある。
【０００７】
本発明は、かかる点に鑑みてなされたものであり、その目的は、製品の見栄えを確保しつつ、カバーの膨れや浮きを抑えることにある。
【課題を解決するための手段】
【０００８】
本発明は、内部に発光部が収容され且つ該発光部を臨む位置に筐体側開口孔が形成された筐体と、該筐体の外側面を覆うとともに該筐体側開口孔に対応して該発光部を臨む位置にカバー側開口孔が形成されたカバーとを備え、透光性を有する窓部材によって該カバー側開口孔が塞がれた電子機器を対象とし、次のような解決手段を講じた。
【０００９】
すなわち、本発明において、前記窓部材は、前記カバーの厚み方向に延びて基端部が前記カバー側開口孔に嵌め込まれた透光部と、該透光部から径方向に張り出して接着部材によって該カバーの内側面における該カバー側開口孔の周縁部に接着されたフランジ部と、該透光部の先端部に設けられ且つ前記筐体側開口孔に嵌め込まれることで前記筐体に係合された係合部とを有することを特徴とするものである。
【００１０】
本発明では、窓部材の透光部の基端部がカバー側開口孔に嵌め込まれ、フランジ部がカバーの内側面に接着される。窓部材の透光部の先端部には、係合部が設けられており、係合部を筐体側開口孔に嵌め込むことで、カバーと筐体とが係合される。
【００１１】
これにより、カバーの嵌め込み方向への移動が規制されるので、カバーを大型化及び薄型化した場合でも、カバーの膨れや浮きを抑えることができる。また、窓部材をカバーに対して予め取り付けた構造とすることで、透光部の基端部とカバー側開口孔とのクリアランスを小さくすることができる。その結果、カバーと窓部材との一体感を得ることができ、製品の見栄えが良くなる。
【発明の効果】
【００１２】
本発明によれば、窓部材の係合部を筐体側開口孔に嵌め込むことでカバーと筐体とが係合されるので、カバーの嵌め込み方向への移動を規制することができる。これにより、カバーを大型化及び薄型化した場合でも、カバーの膨れや浮きを抑えることができる。
【図面の簡単な説明】
【００１３】
【図１】本実施形態１に係る電子機器の構成を示す背面図である。
【図２】電子機器の発光部周辺の構成を示す断面図である。
【図３】本実施形態２に係る電子機器の発光部周辺の構成を示す断面図である。
【図４】本実施形態３に係る電子機器の発光部周辺の構成を示す断面図である。
【図５】本実施形態４に係る電子機器の発光部周辺の構成を示す断面図である。
【図６】本実施形態５に係る電子機器の発光部周辺の構成を示す断面図である。
【発明を実施するための形態】
【００１４】
以下、本発明の実施形態を図面に基づいて説明する。なお、以下の好ましい実施形態の説明は、本質的に例示に過ぎず、本発明、その適用物或いはその用途を制限することを意図するものではない。
【００１５】
《実施形態１》
図１及び図２に示すように、電子機器１０は、筐体２０と、筐体２０の背面側を覆うカバー３０とを備えた携帯端末である。筐体２０の正面側には、図示しない表示パネルが収容されている。筐体２０の背面側には、回路基板１１が収容されている。回路基板１１には、カメラ１２や発光部１５が実装されている。本実施形態では、発光部１５は、モバイルライトやフラッシュライトである。
【００１６】
筐体２０には、発光部１５を臨む位置に筐体側開口孔２１が形成されている。筐体２０の背面側には、後述する窓部材４０のフランジ部４２を収容するために筐体２０内部側に窪んだ収容部２２が形成されている。
【００１７】
カバー３０には、筐体側開口孔２１に対応して発光部１５を臨む位置にカバー側開口孔３１が形成されている。カバー側開口孔３１は、透光性を有する窓部材４０によって塞がれている。
【００１８】
窓部材４０は、透光部４１と、フランジ部４２と、係合部４３とを有する。透光部４１は、カバー３０の厚み方向に延びて基端部がカバー側開口孔３１に嵌め込まれている。透光部４１は、発光部１５からの光を透過させる透光性を有する樹脂等で形成されている。
【００１９】
フランジ部４２は、透光部４１から径方向に張り出すように一体形成されている。カバー３０の内側面とフランジ部４２とは、接着部材としての両面テープ３５によって接着されている。両面テープ３５は、カバー側開口孔３１の周縁部に沿って貼り付けられており、防水性が確保されている。なお、両面テープ３５の代わりに接着剤を用いてもよい。
【００２０】
係合部４３は、防水性を有し且つ弾性変形可能なパッキン材で構成され、透光部４１の先端部に設けられている。具体的に、係合部４３は、エラストマやゴム等の弾性を有する部材で構成され、透光部４１とともに２色成形によって一体に形成されている。係合部４３は、筐体側開口孔２１に嵌め込まれることで、その先端部が筐体側開口孔２１の周縁部に係合している。
【００２１】
これにより、カバー３０の嵌め込み方向への移動が係合部４３によって規制されるので、カバー３０を大型化及び薄型化した場合でも、カバー３０の膨れや浮きを抑えることができる。また、係合部４３が防水パッキンとして機能するため、防水性を確保することができる。
【００２２】
なお、本実施形態では、モバイルライトやフラッシュライト等の発光部１５を窓部材４０で覆っているが、赤外線素子に対しても同様に適用可能である。
【００２３】
《実施形態２》
図３は、本実施形態２に係る電子機器の構成を示す断面図である。以下、実施形態１と同じ部分については同じ符号を付し、相違点についてのみ説明する。
【００２４】
図３に示すように、窓部材４０は、透光部４１と、フランジ部４２と、係合部としての係合爪部４５とを有する。係合爪部４５は、透光部４１の先端部に一体形成されて弾性変形可能に構成されている。係合爪部４５の先端部は、面取り加工されている。係合爪部４５は、筐体側開口孔２１に嵌め込まれることで、その先端部が筐体側開口孔２１の周縁部に係合している。
【００２５】
筐体２０における収容部２２の背面とフランジ部４２との間には、防水性を有するパッキン材２３が挟み込まれている。これにより、窓部材４０と筐体２０との隙間が密閉されて防水性が確保される。なお、防水性を確保する必要が無い機種であって、塵埃が筐体２０の内部に侵入しない構造であれば、パッキン材２３を挟み込まなくてもよい。
【００２６】
《実施形態３》
図４に示すように、本実施形態３に係る電子機器１０では、筐体２０の内側面における筐体側開口孔２１の周縁部には、筒状部２４が一体形成されている。
【００２７】
窓部材４０は、透光部４１と、フランジ部４２と、係合部４３とを有する。係合部４３は、防水性を有し且つ弾性変形可能なパッキン材で構成され、透光部４１の先端部に設けられている。係合部４３の外周面には、全周に亘って突起部４４が設けられている。係合部４３は、筐体側開口孔２１に嵌め込まれることで、突起部４４が筒状部２４の内周面に係合している。これにより、突起部４４と筒状部２４との隙間が密閉されて防水性が確保される。
【００２８】
《実施形態４》
図５に示すように、本実施形態４に係る電子機器１０では、筐体２０には、発光部１５を臨む位置に筐体側開口孔２１が形成されている。カバー３０には、筐体側開口孔２１に対応して発光部１５を臨む位置にカバー側開口孔３１が形成されている。
【００２９】
ここで、カバー側開口孔３１の内径Ｄ１は、筐体側開口孔２１の内径Ｄ２よりも小さく形成されている。これにより、電子機器１０の背面側から発光部１５を見たときに、カバー側開口孔３１から筐体側開口孔２１の周縁部が見えなくなっているので、見栄えを良くすることができる。
【００３０】
《実施形態５》
図６に示すように、本実施形態５に係る電子機器１０では、窓部材４０は、透光部４１と、フランジ部４２と、係合部４３とを有する。係合部４３は、防水性を有し且つ弾性変形可能なパッキン材で構成され、透光部４１の先端部に設けられている。透光部４１の先端部には、補強リブ４６が一体形成されている。補強リブ４６は、係合部４３に埋設されている。これにより、係合部４３の強度を確保することができる。
【００３１】
《その他の実施形態》
前記実施形態については、以下のような構成としてもよい。
【００３２】
すなわち、前記実施形態では、電子機器１０は、携帯端末としたが、タブレット端末、ＰＨＳ（Personal Handy-phone System ）、ＰＤＡ(Personal Digital Assistant)、パソコン、モバイルツール、電子辞書、電卓、ゲーム機等であってもよい。
【産業上の利用可能性】
【００３３】
以上説明したように、本発明は、製品の見栄えを確保しつつ、カバーの膨れや浮きを抑えることができるという実用性の高い効果が得られることから、きわめて有用で産業上の利用可能性は高い。
【符号の説明】
【００３４】
１０    電子機器
１５    発光部
２０    筐体
２１    筐体側開口孔
２３    パッキン材
３０    カバー
３１    カバー側開口孔
３５    両面テープ（接着部材）
４０    窓部材
４１    透光部
４２    フランジ部
４３    係合部
４５    係合爪部（爪部）
４６    補強リブ
【図１】
2015216217.tif 000003
【図２】
2015216217.tif 000004
【図３】
2015216217.tif 000005
【図４】
2015216217.tif 000006
【図５】
2015216217.tif 000007
【図６】
2015216217.tif 000008